(57)【要約】      （修正有）【課題】吸油量に優れたネステッド形式のキッチンペーパーを提供する。【解決手段】平面視において、一方紙面の単位凹エンボス２２Ａと他方紙面の単位凹エンボス２２Ｂとが交互に離間して並ぶ環状のエンボスライン１１が、複数、同心円状に配されたエンボスセクション２を有し、このエンボスセクション２が３．３〜６．０ｍｍの間隔を空けて配置されて、それらエンボスセクション２間が略斜格子状の抜き柄セクション１２とされ、その略斜格子状の抜き柄セクション１２の交差部分の広さが５０ｍｍ2以上あり、かつ、前記クレープ紙１枚当たりの坪量が１５〜３５ｇ／ｍ2、前記単位凹エンボス２２Ａ、２２Ｂの底面面積が１．０〜２．５ｍｍ2、各クレープ紙における単位凹エンボス２２Ａ，２２Ｂ間の中心間間隔が４．０〜７．５ｍｍ、面積率が４〜１０％である、キッチンペーパー１。【選択図】図１
2017063895.tif 000002
【特許請求の範囲】
【請求項１】
エンボスが付与された二枚のクレープ紙が、エンボス凸部形成面を対面させて、ネステッド形式の積層構造で一体化され、表裏に前記エンボス凸部に対応する凹エンボスが存在するキッチンペーパーであって、
平面視において、一方紙面の単位凹エンボスと他方紙面の単位凹エンボスとが交互に離間して並ぶ環状のエンボスラインが、複数、同心円状に配されたエンボスセクションを有し、
このエンボスセクションが３．３〜６．０ｍｍの間隔を空けて配置されて、それらエンボスセクション間が略斜格子状の抜き柄セクションとされ、
その略斜格子状の抜き柄セクションの交差部分の広さが５０ｍｍ2以上あり、
かつ、前記クレープ紙１枚当たりの坪量が１５〜３５ｇ／ｍ2、前記単位凹エンボスの底面面積が１．０〜２．５ｍｍ2、各クレープ紙における単位凹エンボス間の中心間間隔が４．０〜７．５ｍｍ、面積率が４〜１０％である、
ことを特徴とするキッチンペーパー。
【請求項２】
前記略斜格子状の抜き柄セクションの交差部分に、前記エンボスセクションを構成する単位凹エンボスの数より少ない数の単位凹エンボスで構成される補助エンボスセクションを有する、請求項１記載のキッチンペーパー。
【請求項３】
一つのエンボスセクションを構成する単位凹エンボスの個数が４０〜８０個である、請求項１又は２記載のキッチンペーパー。
【請求項４】
一つの補助エンボスセクションを構成する単位凹エンボスの個数が１〜４０個である、請求項３記載のキッチンペーパー。
【発明の詳細な説明】
【技術分野】
【０００１】
本発明は、キッチンペーパーに関し、特にネステッド形式で積層された２プライのキッチンペーパーに関する。
【背景技術】
【０００２】
キッチンペーパーは、台所周りや調理器具等の拭き清掃の他、煮物の落とし蓋、油漉し、揚げ物の過剰油分の吸収等に用いられ、吸水性能及び吸油性能などの吸液性能が重要とされる。
【０００３】
一方、キッチンペーパーは、エンボス加工を施したクレープ紙からなるシートを二枚積層して形成されたものがある。そして、この種のキッチンペーパーでは、吸水性能は、主に親水性繊維であるパルプを主材とするクレープ紙の構成そのものによるところが大きく、吸油性能についてはエンボスに関する構成が大きな影響を与えることがある。
【０００４】
ここで、キッチンペーパーにおけるエンボス加工を施したクレープ紙からなる二枚のシートの積層構造においては、特に、二枚のクレープ紙のエンボス凸部の頂部同士を対面させて接着したティップ  トゥ  ティップ（ＴｉｐＴｏＴｉｐ）形式と称されるものと、一方のクレープ紙のエンボス凸部の頂部が他方のクレープ紙の非エンボス凸部（対面する一方のクレープ紙から見て凸となっていない位置）に位置するように互い違いに位置させ接着したネステッド（Ｎｅｓｔｅｄ）形式と称されるものに大別される。
【０００５】
ティップ  トゥ  ティップ形式の積層構造は、積層されるクレープ紙同士が離間して位置する部位が多く、それらの間の空隙に厚み（高さ）があり、特に、吸油量に優れる。その一方で、全体としての紙厚が厚くなる傾向にある。このため、キッチンペーパーの市販態様であるロール状や複数枚の積層束状とした際に、ロール巻径が過度に大径化したり、束厚（束高さ）が過度に厚くなったりして、物流コストや荷資材コストが高まらないように、クレープ紙自体の紙厚を抑えるようにクレープ紙の米坪を低くするようにしており、吸液後のコシの低下がしやすく、油の保持性（油の滲み出しにくさ）については効果的ではないものが多い。また、各クレープ紙のエンボス凸部同士が接着しているため、油を層間に引き込む作用が弱く、吸油速度が遅い。さらに、凸エンボスロールによって踏み固められたエンボス凹部の底部位置（エンボス凸部の頂面）同士が接着位置となるため、硬質でしなやかさに劣る傾向にある。つまり、ティップ  トゥ  ティップ形式の積層構造は、吸油量は多くしやすいが吸油速度は遅く、クレープ紙自体の坪量を低くするがゆえへたりやすく油保持性については十分ではないものが多い。また、硬質でしなやかさに劣る傾向にあり、食材の液体の吸収用途や、食材を包むといった用途に比して、特に油汚れの拭き取り性に特化したものが多い。
【０００６】
一方、ネステッド形式の積層構造は、一方のクレープ紙のエンボス凸部の頂部が他方のクレープ紙の非エンボス凸部に位置しているため、クレープ紙の坪量や厚みを高めにしても、全体としての紙厚が薄くでき、また、クレープ紙同士を繋ぐエンボス凸部の柱が多くなるためしっかりとしており、吸水性（吸水量や吸水速度）、吸油速度に優れる。さらに、一方のクレープ紙における凸エンボスロールによって踏み固められたエンボス凹部の底部位置（エンボス凸部の頂面）と、他方のクレープ紙の非エンボス凸部とが接着位置となるため、しなやかさを発現させやすい傾向にある。しかし、ネステッド形式の積層構造は、ティップ  トゥ  ティップ形式の積層構造に比して、吸油量が劣る傾向にある。このため、ネステッド形式の積層構造は、野菜などの食材に付着した水分、油分の拭き取りに特化したものが多い。
【０００７】
他方、キッチンペーパーにおいて付与されるエンボスは、ティップ  トウ  ティップ形式であっても、ネステッド形式であっても、見た目の意匠性に影響を与える。しかし、上記のとおりエンボスのパターンは、吸液性能、特に吸油性能に影響を与えるため、係る性能を向上させつつ見た目の意匠性を向上させるのが難しい。従来の多くのキッチンペーパーは、その双方に優れるものがない。
【０００８】
また、上記意匠性の向上と吸液性能を向上させるべく、一つ一つの凹エンボス（以下、単位凹エンボスともいう）を複数個集合させてなるエンボスセクションを、間隔を空けて配置することで、そのエンボスセクション以外の部分（以下、抜き柄セクションともいう）からエンボスセクション内に液体を引き込むようにして吸液性能を向上させるとともに、エンボスセクションと抜き柄セクションとのコントラストによって意匠性を向上させるようにしたものもある。しかし、従来のエンボスセクションと抜き柄セクションとを有するものの多くは、抜き柄セクションが直線的に配されている。エンボスセクションと抜き柄セクションとを有するキッチンペーパーでは、抜き柄セクションの部分が脆弱になるため、その抜き柄セクションに沿ってキッチンペーパーが折れ曲りやすくなる。そして、従来多くの抜き柄セクションが直線的に配されているものでは、係る直線状の抜き柄セクションに沿って折れ曲りやすく、多様な形状の食材を包む際に柔軟に形状変化しがたい。このため、食材形状に追従しがたいという問題がある。
【先行技術文献】
【特許文献】
【０００９】
【特許文献１】特開２０１３−２０８２９８号公報
【特許文献２】特開２００８−２０８５０１号公報
【特許文献３】特開２００４−２４４７７２号公報
【特許文献４】特開２００８−１１３６９５号公報
【特許文献５】特開２００３−１１６７４１号公報
【発明の概要】
【発明が解決しようとする課題】
【００１０】
そこで、本発明の主たる課題は、ネステッド形式による積層構造であり、その全体としての厚みの薄さ、吸水性や吸油速度の速さ、しなやかさといった利点をそのままに、ティップ  トゥ  ティップ形式の積層構造と同等かそれ以上の吸油量を達成し、食材の包みやすさについても優れる、特徴的なエンボスパターンを有するキッチンペーパーを提供することにある。
【課題を解決するための手段】
【００１１】
上記課題を解決した本発明及び作用効果は次記のとおりである。
【００１２】
〔請求項１記載の発明〕
エンボスが付与された二枚のクレープ紙が、エンボス凸部形成面を対面させて、ネステッド形式の積層構造で一体化され、表裏に前記エンボス凸部に対応する凹エンボスが存在するキッチンペーパーであって、
平面視において、一方紙面の単位凹エンボスと他方紙面の単位凹エンボスとが交互に離間して並ぶ環状のエンボスラインが、複数、同心円状に配されたエンボスセクションを有し、
このエンボスセクションが３．３〜６．０ｍｍの間隔を空けて配置されて、それらエンボスセクション間が略斜格子状の抜き柄セクションとされ、
その略斜格子状の抜き柄セクションの交差部分の広さが５０ｍｍ2以上あり、
かつ、前記クレープ紙１枚当たりの坪量が１５〜３５ｇ／ｍ2、前記単位凹エンボスの底面面積が１．０〜２．５ｍｍ2、各クレープ紙における単位凹エンボス間の中心間間隔が４．０〜７．５ｍｍ、面積率が４〜１０％である、
ことを特徴とするキッチンペーパー。
【００１３】
〔請求項２記載の発明〕
前記略斜格子状の抜き柄セクションの交差部分に、前記エンボスセクションを構成する単位凹エンボスの数より少ない数の単位凹エンボスで構成される補助エンボスセクションを有する、請求項１記載のキッチンペーパー。
【００１４】
〔請求項３記載の発明〕
一つのエンボスセクションを構成する単位凹エンボスの個数が４０〜８０個である、請求項１又は２記載のキッチンペーパー。
【００１５】
〔請求項４記載の発明〕
一つの補助エンボスセクションを構成する単位凹エンボスの個数が１〜４０個である、請求項３記載のキッチンペーパー。
【発明の効果】
【００１６】
以上の本発明によれば、ネステッド形式による積層構造であり、その全体としての厚みの薄さ、吸水性や吸油速度の速さ、しなやかさといった利点をそのままに、ティップ  トゥ  ティップ形式の積層構造と同等かそれ以上の吸油量を達成し、さらに、食材の包みやすさについても優れる、特徴的なエンボスパターンを有するキッチンペーパーが提供される。
【図面の簡単な説明】
【００１７】
【図１】第一実施形態のキッチンペーパーを説明するための平面図である。
【図２】第一実施形態のキッチンペーパーの一方のクレープ紙のエンボスパターンを示す平面図である。
【図３】第一実施形態のキッチンペーパーの他方のクレープ紙のエンボスパターンを示す平面図である。
【図４】第一実施形態のキッチンペーパーのＡ−Ａ断面図である。
【図５】第一実施形態のキッチンペーパーの吸液態様を説明するための図である。
【図６】第二実施形態のキッチンペーパーを説明するための平面図である。
【図７】第二実施形態のキッチンペーパーの一方のクレープ紙のエンボスパターンを示す平面図である。
【図８】第二実施形態のキッチンペーパーの他方のクレープ紙のエンボスパターンを示す平面図である。
【図９】比較例１のキッチンペーパーを説明するための平面図である。
【図１０】比較例２のキッチンペーパーを説明するための平面図である。
【図１１】比較例３のキッチンペーパーを説明するための平面図である。
【図１２】比較例４のキッチンペーパーを説明するための平面図である。
【図１３】比較例５のキッチンペーパーを説明するための平面図である。
【図１４】比較例６のキッチンペーパーを説明するための平面図である。
【図１５】比較例７のキッチンペーパーを説明するための平面図である。
【発明を実施するための形態】
【００１８】
次いで、本発明の実施の形態について、図面を参照しながら以下に詳述する。図１及び図６は、クレープ紙が積層されたキッチンペーパーの平面図であり、一部（Ａ部分、Ｂ部分）を拡大して表している。図２、３及び図７、８は、上記キッチンペーパーを構成する表裏の各クレープ紙の平面図であり、一部（Ａ部分、Ｂ部分）を拡大して表している。図４は、図１のＡ−Ａ断面である。
【００１９】
本実施形態に係るキッチンペーパー１は、エンボスが付与された二枚のクレープ紙１０Ａ、１０Ｂの各々エンボス凸部形成面１０ｘが対面されて一体化され、表裏には前記エンボス凸部２１Ａ，２１Ｂに対応する凹エンボス２２Ａ，２２Ｂが存在するようになっている。そして、特に一方面のクレープ紙１０Ａ（１０Ｂ）におけるエンボス凸部２１Ａ（２１Ｂ）が、他方面のクレープ紙１０Ｂ（１０Ａ）の非エンボス凸部２３Ｂ（２３Ａ）（エンボス凸部以外の部分）に位置する、所謂ネステッド形式の積層構造となっている。
【００２０】
このキッチンペーパー１は、特に図１に示されるように、特徴的に、平面視において、一方紙面の単位凹エンボス２２Ａと他方紙面の単位凹エンボス２２Ｂとが交互に離間して並ぶ環状のエンボスライン１１が、複数、同心円状に配されたエンボスセクション２を有している。そして、このエンボスセクション２が３．３〜６．０ｍｍの間隔Ｌ１を空けて配置されて、それらエンボスセクション２の間が略斜格子状の抜き柄セクション３とされ、その略斜格子状の抜き柄セクション３の交差部分１２の広さが５０ｍｍ2以上となっている。なお、好ましくは８０ｍｍ2以上である。この交差部分１２の広さは、交差部分１２に隣接するエンボスセクション２によって囲まれる範囲の広さであり、図示のようにエンボスセクションが円形であれば、交差部分１２を囲むように位置する各エンボスセクション２に対する内接円の範囲として示すことができる。
【００２１】
前記単位凹エンボス２２Ａ（２２Ｂ）の底面の形状としては、円、楕円、角取四角形、四角形（長方形、正方形）が挙げられ、上記の順で好ましい形状となる。単位凹エンボス２２Ａ（２２Ｂ）の形状に角がないものであるほうが、キッチンペーパー１として使用する際に柔らかさを感じやすい。また、上記坪量及び後述の積層構造と相まってなされる吸液性能の向上効果が高まる。これは、単位凹エンボス２２Ａ（２２Ｂ）の形状に角部がないほうが、液体が繊維に沿って拡散しやすいからである。つまり、単位凹エンボス２２Ａ（２２Ｂ）の形状が角部を有するものである場合、その角部における繊維の曲りが強く、液が繊維に沿って拡散しがたくなる場合があるが、角部がない形状の場合は、そのような現象が生じがたいためである。ここで、複数の各単位凹エンボス２２Ａ（２２Ｂ）の形状は、必ずしも同形状である必要はない。但し、同形状であるのが吸液性に関する効果や紙の柔らかさ等の物性に部分的な偏りがなくなるため好ましい。なお、本発明においては、単位凹エンボス２２Ａ（２２Ｂ）の深さＬ２については、必ずしも限定されない。好適な範囲を示せば、０．２〜１．７ｍｍである。この範囲であれば、本発明の効果を十分に発現できる。
【００２２】
他方、一方紙面の単位凹エンボス２２Ａと他方紙面の単位凹エンボス２２Ｂとが交互に離間して並ぶ環状のエンボスライン１１は、好ましくは、一方のクレープ紙１０Ａにおける隣接する単位凹エンボス２２Ａ，２２Ａの中央位置に他方のクレープ紙１０Ｂにおける単位凹エンボス２２Ｂが位置するものである。つまり、エンボスライン１１を構成する各単位凹エンボス２２Ａ，２２Ｂの間隔が等間隔となっているものである。このようにエンボスライン１１を構成する単位凹エンボス２２Ａ，２２Ｂの間隔が等間隔であるとエンボスライン１１の位置によってエンボスによる効果の差が発現しない。もちろん、製造上の誤差はあってもよい。
【００２３】
他方、本発明に係る前記環状のエンボスライン１１が同心円状に配されてなるエンボスセクション２は、図示例では、円輪のエンボスライン１１が同心円に配された円形をなしているが、必ずしも同心円である必要はなく、複数重に配されていればよく、全体として略円形，楕円などであってもよい。但し、角部を有する矩形ではないのが望ましい。また、本発明では、このエンボスセクション２を複数有するが、各エンボスセクション２の面積（大きさ）は、必ずしも同一である必要はない。但し、エンボスセクション２の面積（大きさ）が、同一であるほうが紙面における吸油性や柔らかさの偏りがなくなるので望ましい。エンボスセクション２の特に好ましい形態は、図示例のように複数の環状のエンボスライン１１が円形をなし、これらが同心円に配された円形形状となっているものである。このような円形形状であると角部がなく、上記抜き柄セクション３の存在とあいまって、意匠性に優れるとともに、キッチンペーパー２を折曲げる際の方向性がなく、食材を包む際などにその食材形状に対する追随性に優れるようになる。なお、エンボスセクション２を構成する最内側の環状のエンボスラインの中に、一つ又は複数の単位凹エンボスが存在していてもよい。
【００２４】
他方、本発明のキッチンペーパー１では、上記のとおり複数のエンボスセクション２が３．３〜６．０ｍｍの間隔Ｌ１を空けて配置されて、それらエンボスセクション２の間が略斜格子状の抜き柄セクション３となっており、その略斜格子状の抜き柄セクション３の交差部分１２の広さが５０ｍｍ2以上となっている。本発明におけるキッチンペーパー１では、係る構成を採ることにより、他の構成と相まってネステッド形式の利点をそのままに、高い吸油性を発揮する。つまり、図５に示すように、キッチンペーパー１の紙面に触れた油等の液体Ｘは、毛細管現象によって、抜き柄セクション３の交差部分１２においては、これに隣接するエンボスセクション２へ引き込まれる作用（図中矢印ａ）と、エンボスセクション２の間に引き込まれる作用（図中矢印ｂ）とが働く。つまり、エンボスセクション２は、単位凹エンボス２２Ａ，２２Ｂと表裏関係にある単位凸エンボスによる柱が各クレープ紙間に存在しているため、この柱間に油等の液体Ｘが引き込まれる。それとともに、本発明のキッチンペーパー１では、エンボスセクション２が環状のエンボスライン１１が同心円状をなしていることにより、上記のとおり図中矢印ｂで示すように、隣接するエンボスセクション２の間の最も狭小な部位に向かっても引き込まれるようになる。この結果、油等の液体Ｘがエンボスセクション２の縁部に沿って拡散しやすく、また、その縁部から、エンボスセクション２内に油等の液体Ｘが引き込まれるため（矢印ｃの作用）、吸油速度が確保でき、さらに高い吸油量も達成できる。ここで、エンボスセクション２の間の距離が、３．３ｍｍ未満又は６．０ｍｍを超えると、油等の液体が抜き柄セクション３からエンボスセクション２に直接的に引き込まれる作用（矢印ａの作用）と、エンボスセクション２の間に引き込まれる作用（矢印ｂの作用）のバランスが悪くなる。つまり、エンボスセクション２の間に油を引き込む作用が小さくなり、本発明のキッチンペーパー１の効果が発現しなくなる。なお、エンボスセクション２の間の距離Ｌ１は、隣接するエンボスセクション２の縁に位置する単位凹エンボス２２Ａ（２２Ｂ）の中心間間隔ではなく、離間距離である。
【００２５】
さらに、本発明のキッチンペーパー１では、略斜格子状の抜き柄セクション３の交差部分１２の広さが５０ｍｍ2以上となっているが、これにより、この交差部分に留まる油の量を増加でき、キッチンペーパー全体としての吸油量がさらに高まる。但し、抜き柄セクション３の交差部分１２の広さが過度に広いと、エンボスセクション２やそれらの間への油の引き込み作用が弱くなるとともに、交差部分１２がへたりやすくなり油保持性が悪化するため、１０５ｍｍ2以下とするのが望ましい。
【００２６】
他方で、本発明のキッチンペーパー１においては、特に図６〜図８に示す形態のように、前記略斜格子状の抜き柄セクション３の交差部分１２に、前記エンボスセクション２を構成する単位凹エンボス２２Ａ，２２Ｂの数より少ない数の単位凹エンボス２２Ｃで構成される補助エンボスセクション４を設けてもよい。この補助エンボスセクション４により、抜き柄セクション３の交差部分１２の厚み方向の脆弱性が改善され、抜き柄セクション３の交差部分１２における吸油量が増加し、キッチンペーパー全体としての吸油量を増加できる。但し、この補助エンボスセクション４を設ける場合、エンボスセクション２と補助エンボスセクション４との間の距離は、エンボスセクション２の間の距離Ｌ１と同等以上とする。エンボスセクション２の間の距離Ｌ１よりも、補助エンボスセクション４とエンボスセクション２との間の離間距離が狭いと、エンボスセクション２の間に油を引き込む作用が小さくなり、本発明のキッチンペーパー１の作用が発現し難くなる。ここで、一つの補助エンボスセクション４を構成する単位凹エンボス２２Ｃの好ましい、個数は１〜４０個である。この程度であれば、エンボスセクション２と抜き柄セクション３とによる効果を過剰に阻害せず、補助エンボスセクション４による相乗効果が得られる。
【００２７】
ここで、一般的なキッチンペーパー１の大きさは、２００〜８００ｃｍ2である。一つのエンボスセクション２における単位凹エンボス２２Ａ，２２Ｂの個数が過度に多く、単位凹エンボスの面積総和が過度に広いと、一般的なキッチンペーパー１とした際に、キッチンペーパー１の実使用時において、本発明に係るエンボスセクション２と抜き柄セクション３とが十分に存在できず、その効果が得られ難くなる。したがって、エンボスセクション２を構成する環状に配列されている単位凹エンボス２２Ａ，２２Ｂの個数は、１〜３０個、エンボスライン１１の個数（条数）は、２〜６条、エンボスセクション２内の単位凹エンボス２２Ａ，２２Ｂの総個数は、１０〜８０個であるのが望ましい。また、一つのエンボスセクション２における単位凹エンボス２２Ａ、２２Ｂの底面面積の総和は１〜２００ｍｍ2であるのが望ましい。係る範囲であれば、本発明の効果が十分に発揮される。もちろん、エンボスセクション２が二つ以上、それらの間に抜き柄セクション３が存在すれば、本発明のエンボスによる吸油性向上の効果は奏する。なお、本発明においてキッチンペーパー１は、その端部に、エンボスセクション２の一部により形成される半円形や扇形形状の単位凹エンボスの集合部分が存在していてもよい。
【００２８】
ここで、エンボスセクション２の配列が規則正しくない場合や、全ての単位凹エンボス２２Ａ（２２Ｂ）の形状、面積が同一ではない場合、位置によってエンボスセクション２の間の距離が部位によって異なる場合もあるが、その場合であっても３．３〜６．０ｍｍの範囲内にあればよい。
【００２９】
なお、本発明に係るキッチンペーパー１における最も好適なエンボスセクション２と抜き柄セクション３との配置態様は、図１に示されるように、抜き柄セクション３の延在方向Ｄ１が、クレープ紙１０Ａ（１０Ｂ）のＭＤ方向に対して、３０〜６０°の傾斜（図中∠Ａ）を有する、さらに好ましくは４３〜４７°の傾斜を有する方向となっているのが望ましい。係る抜き柄セクション３の延在方向Ｄ１とすることで、クレープ紙１０Ａ，１０Ｂのクレープ延在方向（皺延在方向）との関係で、より、液拡散性の方向性にムラが無くなり、吸水及び吸油性に関する本発明の効果がより高く発揮される。また、クレープ紙の縦横における剛性の差が、抜き柄セクションの存在によって小さく感じられるようになり、しなやかさを感じやすくなる。
【００３０】
他方、本発明に上記エンボスセクション２を構成するエンボスライン１１は、一方のクレープ紙１０Ａと他方のクレープ紙１０Ｂに付与された各単位凹エンボスが交互に並ぶものであるが、各クレープ紙１０Ａ（１０Ｂ）における各単位凹エンボス２２Ａ（２２Ｂ）は、底面面積が１．０〜２．５ｍｍ2、単位凹エンボス間の中心間間隔Ｌ３が４．０〜７．５ｍｍとなっている、ここで、底面面積は、すべて一定である必要はない。また、中心間間隔Ｌ３とは、クレープ紙面において一つのエンボスラインを構成する隣り合う単位凹エンボスの底面の重心間の間隔である。なお、紙面における単位凹エンボスの距離は全て一致していなくてもよい。本発明においては、クレープ紙１０Ａ（１０Ｂ）に存在する各単位凹エンボス２２Ａ（２２Ｂ）の底面形状や面積に相違がある場合、また、単位凹エンボス２２Ａ（２２Ｂ）の配列に製造上の誤差や、若干のバラツキがあり規則正しく配列していない場合には、中心間間隔Ｌ３が一定とはならないが、この場合でも各単位凹エンボス２２Ａ（２２Ｂ）の中心間間隔が４．０〜７．５ｍｍの範囲内に収まっていればよい。但し、本発明の吸液性の効果や物性において紙面に部分的な偏りが発生しないよう、等間隔で配列されているのが望ましい。
【００３１】
本発明に係るキッチンペーパー１では、各クレープ紙１０Ａ（１０Ｂ）に付与された単位凹エンボス２２Ａ，２２Ｂが上記構成を採り、この単位凹エンボス２２Ａ，２２Ｂの構成を有するクレープ紙１０Ａ，１０Ｂをネステッド形式で積層し、さらに、積層後の状態において上記のエンボスセクション２及び抜き柄セクション３とすることにより、早い吸油速度を達成しつつ、高い吸油量を達成する。また、本発明に係るクレープ紙１０Ａ，１０Ｂにおけるエンボスのパターンでは、エンボス面積率が４〜１０％である。エンボス面積率は、一方のクレープ紙１０Ａ（１０Ｂ）の表面積に対する単位凹エンボス２２Ａ（２２Ｂ）の面積の総和の割合である。換言すれば、製品時における一枚のキッチンペーパー１に一方面全体の面積におけるその面の単位凹エンボス２２Ａ（２２Ｂ）の面積の総和の割合である。このエンボス面積率は、従来のネステッド形式のキッチンペーパー１よりもやや低い値である。このように低いエンボス面積率であることにより、吸油量が多くなり優れるようになる。
【００３２】
ここで、本発明に係るキッチンペーパー１を構成するクレープ紙１０Ａ，１０Ｂの坪量は、１５〜３５ｇ／ｍ2、好ましくは１７〜２５ｇ／ｍ2である。なお、坪量は、ＪＩＳ  Ｐ  ８１２４（１９９８）による。上記坪量の範囲であると、紙面に水や油などの液体が触れた際に、十分な液拡散性が得られ、特に吸水性能が十分となり、また、ネステッド形式でありながらも高い吸油量を奏するという本発明の特徴的なエンボス構成による効果が得られやすくなる。また、上記坪量の範囲内であれば、拭き取り操作の際の柔らかさ、拭き取り面に対する追従性といったネステッド形式のキッチンペーパーの利点も低下しない。ここで、本発明に係るクレープ紙１０Ａ，１０Ｂの１枚当たりの坪量の測定に関しては、積層構造となっているキッチンペーパー１の坪量を測定し、これを積層枚数、すなわち２枚で割った数値とする。なお、この坪量には、厳密には、積層構造とするための接着糊４０を含むが、接着糊４０の質量は、通常は、これを含まないクレープ紙１０Ａ，１０Ｂそのものの質量に比して、無視できる程度であり、少なくとも、本発明におけるエンボス構成及びそれらと相まって奏する本発明特有の効果との関係では、十分に無視できる。
【００３３】
他方、上記クレープ紙１０Ａ，１０Ｂは、その繊維材料がパルプを主材とするものである。そのパルプ組成は、キッチンペーパー１における既知の組成が採用できる。特に、パルプを５０質量％以上、好適には９０質量％以上、より好適には１００質量％を含むのがよく、本発明特有の効果が顕著となる。パルプ組成は、例えば、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプと、を適宜の比率で使用できる。特に、針葉樹パルプを広葉樹パルプに比してより多い組成のパルプ組成であることが好ましい。特に、針葉樹パルプ：広葉樹パルプの比が５０：５０〜８０：２０であるのがよい。針葉樹パルプは、広葉樹パルプに比して、繊維長が長いため、針葉樹パルプを多く含むパルプ組成では、針葉樹パルプの長いパルプ繊維に沿って液体が拡散しやすく、本発明の効果が特に発現しやすい。また、しっかりとしたコシが発現しやすくなるため、特に液体を拭き取ったり吸収したりする用途に用いられるキッチンペーパーの使用態様に適する。
【００３４】
本発明に係るキッチンペーパー１の紙厚は、特に限定されない。ネステッド形式の積層構造であることにより、エンボス凹部２２Ａ，２２Ｂの深さ（エンボス凸部の高さ）Ｌ２が、同一のクレープ紙をティップ  トウ  ティップ形式で積層するよりも全体としての紙厚を薄くできることは層構造上明白であり、そのことによって本願発明の効果が得られる。なお、具体的な紙厚の参考値は、下記測定方法により測定されるもので４５０〜７００μｍである。この紙厚の範囲であれば、キッチンペーパーの一般的製品態様であるロール状、束状とした際に過度に嵩高とならず、また、本願発明のエンボス構成による効果、さらにキッチンペーパーとして使用する際の厚み感や強度も十分に発現する。係る紙厚の測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。紙厚は各プライを剥がすことなく測定する。測定の具体的な手順は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、厚みは測定を１０回行って得られる平均値とする。なお、紙厚の測定する場所については、少なくともプランジャー端子内に一つの単位凹エンボスの一部が収まるようにする。但し、この紙厚の測定方法は、エンボスの態様によって、測定時におけるキッチンペーパーの厚み方向の潰れ方に差が生ずるため、上記のとおり紙厚については、参考値である。
【００３５】
他方、本発明に係るキッチンペーパー１の主たる製品態様は、帯状で適宜の間隔で分断用のミシン目線が配されたものを紙管に巻き付けたロール状のもの、或いは、ピックアップ式、ポップアップ式等と称される、枚葉のキッチンペーパーが折畳み積層されたものが例示できるが、これらの製品態様が限定されるものではない。
【００３６】
なお、本発明に係るキッチンペーパー１は、二枚のクレープ紙１０Ａ，１０Ｂがネステッド形式で積層された構造を有するが、各クレープ紙１０Ａ，１０Ｂは、接着糊４０によって接着することができる。この接着糊４０は、積層構造を採るキッチンペーパーに採用される公知の接着剤が使用できる。例えば、ポリビニルアルコール、デンプン、変性デンプン、カルボキシメチルセルロース等のセルロース系接着剤等である。本実施形態のキッチンペーパー１は、特に、好ましい態様として、一方のクレープ紙１０Ａ（１０Ｂ）のエンボス凸部２１Ａ（２１Ｂ）の頂部に付与された接着糊４０によって、一方のクレープ紙１０Ａ（１０Ｂ）と他方のクレープ紙１０Ｂ（１０Ａ）とが接着されている。このように、一方のクレープ紙１０Ａ（１０Ｂ）のエンボス凸部２１Ａ（２１Ｂ）に付与された接着糊４０により、両クレープ紙１０Ａ，１０Ｂが接着されている接着態様では、接着剤による吸液性能の阻害が小さく、また、各クレープ紙の積層構造、とりわけネステッド形式の積層構造における両クレープ紙の空隙が維持されやすく、液保持性が効果的に発揮される。但し、本発明においては、各クレープ紙１０Ａ，１０Ｂの双方のエンボス凸部２１Ａ，２１Ｂに接着剤４０が付与されていてもよい。
【００３７】
他方、本発明に係るキッチンペーパー１は、公知のスチールラバー式のエンボス付与方法によるクレープ紙へのエンボス付与、さらに、貼り合せ方法により製造することができる。
【００３８】
以下、本発明の効果について検証した実施例を参照しつつ、さらに本発明に係るキッチンペーパーを説明する。
【実施例】
【００３９】
「ティップ  トウ  ティップ形式の積層構造との比較試験」
本発明に係るエンボスを有するネステッド形式のキッチンペーパー（実施例１及び実施例２）と、従来市販のキッチンペーパーのエンボスパターン及び積層構造であるティップ  トウ  ティップ形式のキッチンペーパーとについて、引張強度、伸び、ソフトネスの物性を測定するとともに、吸液性能として吸水量、吸油量、吸水速度、吸油速度を測定し評価した。
【００４０】
各例に係る試料は、表裏となるクレープ紙のエンボスパターンに対応する凸エンボスパターンを形成したアクリル板を用い、このアクリル板のエンボスパターンをクレープ紙にそれぞれ型押しすることで、表裏に対応するエンボスパターンを有する各クレープ紙を作成し、これら表裏の各エンボスパターンが付与された各クレープ紙を位置合わせしながら積層することで作成した。各例に係る試料の大きさは、全て１２０ｍｍ四方の大きさのものを作成し、測定に際しては、その中央部分１００ｍｍ四方を裁断して試験片とした。
【００４１】
なお、本比較試験では、エンボスのパターン及び積層構造による対比を行うべく、各例に係るキッチンペーパーを構成するクレープ紙の原紙と、クレープ紙同士を接着するための接着糊の種類は同一のものを使用した。原紙の繊維原料はパルプ１００質量％である。また、本比較試験における各キッチンペーパーは、一方のクレープ紙に形成された全ての凸エンボスの頂部のみに接着糊が付与されており、この接着糊付与部分によって二枚のキッチンペーパーが接着されている構造となっている。また、エンボスの深さは、全て１．０ｍｍとした。
【００４２】
なお、実施例１は、図１に示すエンボスパターンであり、実施例２は、図６に示すエンボスパターンである。実施例２におけるエンボスパターンは、実施例１のエンボスに加えて、抜き柄セクションの交差部分に、エンボスセクションを構成する単位凹エンボスと同構成の単位凹エンボスを各クレープ紙に三個配して、これらが交互配置されて一重環状の補助エンボスセクションを形成したものである。
【００４３】
実施例１及び実施例２は、ネステッド形式であるので、一方面から観た際には他方面の凹エンボスが視認されない。したがって、実施例１では、図２又は図３のように視認され、実施例２は、図７又は図８のように視認される。
【００４４】
比較例１のエンボスパターンは、図９に示すとおりであり、エンボスセクション１０２と抜き柄セクション１０３とを有するティップ  トウ  ティップ形式の積層構造を有するものである（図中、単位凹エンボスは符号１２２で表す）。
【００４５】
比較例２のエンボスパターンは、図１０に示すとおりであり、抜き柄セクションを有さないティップ  トウ  ティップ形式の積層構造を有するものである。
【００４６】
なお、比較例１及び比較例２は、一方面と他方面から同様のエンボスパターンが視認される。したがって、表裏いずれの面から観ても、図９又は図１０のエンボスパターンが視認される。
【００４７】
なお、吸水量、吸油量、吸水速度、吸油速度及びソフトネスの測定方法は、下記のとおりとしている。
【００４８】
〔吸水量〕
吸水量の測定は下記（１）〜（５）のとおりとした。
（１）試験片を１０５℃の乾燥機内で３分間キュアリングした後、その試験片の質量を電子天秤（Ａ＆Ｄ  ＨＲ３００等）により測定する。
（２）試験片よりも大きいトレイ（例えば、内寸：２１５ｍｍ×１６０ｍｍ）に、２０ｍｍ程度の深さとなるように、２５℃の水を入れる。
（３）試験片を、試験片以上の大きさの剛性のある平網（例えば、１２０ｍｍ×１２０ｍｍ、網目１５ｍｍ）の上に拡げて載せ、前記水を入れたトレイ内におろして、水面に接触するように試験片を浸水させる。
（４）試験片の表面にまで十分に水が浸みこんだら、平網を水面より真上に上げ、ピンセットにより試験片の角を摘み、四つ折（クロス８頁折り）にし、そのまま３０秒静止する。
（５）３０秒後に吸水した試験片の質量を電子天秤により測定し、下記式により１ｍ2当たりの吸水量を算出する。
吸水量（ｇ／ｍ2）＝（（上記（４）で測定した吸水した試験片の質量）−（上記（１）で測定した３分間キュアリング後の試験片の質量））×１００（注：試験片１枚１００ｃｍ2の１００倍）
【００４９】
〔吸油量〕
吸油量の測定は下記（１）〜（５）のとおりとした。
（１）試験片を１０５℃の乾燥機内で３分間キュアリングした後、その試験片の質量を電子天秤（Ａ＆Ｄ  ＨＲ３００等）により測定する。
（２）試験片よりも大きいトレイ（例えば、内寸：２１５ｍｍ×１６０ｍｍ）に、２０ｍｍ程度の深さとなるように、２５℃のサラダ油（日清サラダ油：日清オイリオグループ株式会社製）を入れる。
（３）試験片を、試験片以上の大きさの剛性のある平網（例えば、１２０ｍｍ×１２０ｍｍ、網目３０ｍｍ）の上に拡げて載せ、前記サラダ油を入れたトレイ内におろして、油面に接触するように試験片を浸油させる。
（４）試験片の表面にまで十分にサラダ油が浸みこんだら、平網を油面より真上に上げ、そのまま２６〜２７秒静止した後、ピンセットにより試験片の角を摘み、予め秤量された測定容器に試験片を移す。このとき、平網を油面より挙げて静止を開始してから測定容器に移すまで３０秒を超えないようにする。
（５）試験片が入った測定容器の質量を電子天秤により測定し、その測定値より測定容器の質量を差し引いて、吸油後の試験片の質量を算出する。そして、下記式により１ｍ2当たりの吸油量を算出する。
吸油量（ｇ／ｍ2）＝（（上記（４）で測定した吸油した試験片の質量）−（上記（１）で測定した３分間キュアリング後の試験片の質量））×１００（注：試験片１枚１００ｃｍ2の１００倍）
【００５０】
〔吸水速度〕
吸水速度の測定は下記（１）〜（４）のとおりとした。
（１）試験片を１０５℃の乾燥機内で３分間キュアリングする。
（２）キュアリング後の試験片を中心部に直径４０ｍｍ以上の穴を有する台（例えば、アルコールランプ用三脚）の上に、その試験片の中央部が前記穴の上に位置するようにして載置する。
（３）試験片の中心に、試験片面より１０ｍｍの高さから、２５℃の水３００μｌをマイクロピペットにより滴下する。この滴下は、例えば、アズワン  ピペットガイＰＧ−１０００を用い目盛り３００として行うことができる。
（４）マイクロピペットからの水が試験片に接触した瞬間から、試験片の水が浸透しきるまでの時間をストップウォッチにより測定し、その時間を吸水速度（ｓｅｃ）とする。なお、浸透終了は、試験片表面から水の光沢反射が消えることを目視にて確認することによる。
【００５１】
〔吸油速度〕
吸油速度の測定は下記（１）〜（４）のとおりとした。
（１）試験片を１０５℃の乾燥機内で３分間キュアリングする。
（２）キュアリング後の試験片を中心部に直径４０ｍｍ以上の穴を有する台（例えば、アルコールランプ用三脚）の上に、その試験片の中央部が前記穴の上に位置するようにして載置する。
（３）試験片の中心に、試験片面より１０ｍｍの高さから、２５℃のサラダ油（日清サラダ油：日清オイリオグループ株式会社製）３００μｌをマイクロピペットにより滴下する。この滴下は、例えば、アズワン  ピペットガイＰＧ−１０００を用い目盛り３００として行うことができる。なお、滴下位置は、抜き柄セクションの交差部分を有するものについては、この交差部分、抜き柄セクションを有するが交差部分を有さないものについては、抜き柄セクションの任意位置、抜き柄セクションを有さないものについては、任意位置とした。
（４）マイクロピペットからのサラダ油が試験片に接触した瞬間から、試験片にサラダ油が浸透しきるまでの時間をストップウォッチにより測定し、その時間を吸油速度（ｓｅｃ）とする。なお、浸透終了は、試験片表面からサラダ油の光沢反射が消えることを目視にて確認することによる。
【００５２】
〔ソフトネス〕
ＪＩＳ  Ｌ  １０９６Ｅ法に規定のハンドルオメーター法に準じて行い、試験片は、上記のとおり裁断した１００ｍｍ×１００ｍｍの試験片をそのまま用い、ハンドルオメーターのスリット幅は、１５ｍｍとして測定した。試験片の縦方向、横方向について各々３回測定し、次式により算出した値をソフトネスとした。ソフトネス（ｃＮ）＝√（（縦方向の平均値）×（横方向の平均値））
【００５３】
上記の試験の結果を、各例のクレープ紙の組成、エンボスパターン、物性とともに表１に示す。なお、紙厚の測定については、上記ダイヤルシックネスゲージ（厚み測定器）「ＰＥＡＣＯＣＫ Ｇ型」（尾崎製作所製）により測定した値であり、この測定方法は、エンボスの潰れやすさに依存するためあくまで参考値である。各例ともに同じ原紙を用い、また、同じエンボス深さ（１．０ｍｍ）としているため、積層構造上、実際には厚み（嵩）は、実施例１と実施例２とはほぼ同等、比較例１及び比較例２は、実施例１及び実施例２の概ね２倍程度である。
【００５４】
【表１】
2017063895.tif 000003
【００５５】
本発明の実施例１及び実施例２は、比較例１及び比較例２に比してネステッド形式の利点である早い吸油速度となっている。その上で、吸油量において、ティップ  トウ  ティップ形式の積層構造を有する比較例１及び比較例２と同様またはそれ以上の結果が得られた。また、吸水速度については同等以上の結果となった。
【００５６】
さらに、ソフトネスについては、単位凹エンボスが疎で型押しによる硬質化、接着糊による硬質化が低減されていることに起因して非常に良好な結果となった。また、エンボスセクションが全体として円形をなしていることも起因すると考えられる。この結果、本発明の実施例は、食材を包みやすいものとなっていると言える。
【００５７】
吸水量については、比較例２よりやや劣る結果となったが、吸水量は、クレープ紙の構成に依存するところが大きく、比較例２よりやや坪量の高いクレープ紙とするなどすれば十分に改善できる。その場合でも、紙厚は、ネステッド形式の利点を十分に発揮できる。
【００５８】
本試験は、原紙、エンボス深さを同等として比較した試験であり、エンボスのパターンと積層構造との相違のみによる、結果の相違が確認できる。そして、その結果からすれば、本発明に係るエンボスパターン及び積層構造とすることにより、ネステッド形式でありながら、ティップ  トウ  ティップ形式と同等またはそれ以上の高い吸油量を達成できる。
【００５９】
「ネステッド形式の積層構造同士の比較試験」
さらに、本発明に係るエンボスを有するネステッド形式のキッチンペーパー（実施例１及び実施例２）と、本発明とは異なるエンボス（従来市販のエンボスパターン）を有するネステッド形式のキッチンペーパー（比較例３〜７）とについて、引張強度、伸び、ソフトネスの物性を測定するとともに、吸液性能として吸水量、吸油量、吸水速度、吸油速度を測定し評価した。
【００６０】
各例に係る試料は、「ティップ  トウ  ティップ形式の積層構造との比較試験」と同様に、表裏のエンボスパターンに対応する凸エンボスパターンを形成したアクリル板を用い、このアクリル版のエンボスパターンをクレープ紙にそれぞれ型押しすることで、表裏に対応するエンボスパターンを有する各クレープ紙を作成し、これら表裏の各エンボスパターンが付与された各クレープ紙を位置合わせしながら積層することで作成した。各例に係る試料の大きさは、全て１２０ｍｍ四方の大きさのものを作成し、測定に際しては、その中央部分１００ｍｍ四方を裁断して試験片とした。
【００６１】
なお、本比較試験においても、エンボスのパターン及び積層構造による対比を行うべく、各例に係るキッチンペーパーを構成するクレープ紙の原紙と、クレープ紙同士を接着するための接着糊の種類は同一のものを使用した。また、本比較試験における各キッチンペーパーは、一方のクレープ紙に形成された全ての凸エンボスの頂部のみに接着糊が付与されており、この接着糊付与部分によって二枚のキッチンペーパーが接着されている構造となっている。また、エンボスの深さは、全て１．０ｍｍとした
【００６２】
実施例１及び実施例２のエンボスパターンは、上記「ティップ  トウ  ティップ形式の積層構造との比較試験」における実施例１及び実施例２と同様である。
【００６３】
比較例３は、図１１に示すエンボスパターンを有するものである。この比較例３に係るキッチンペーパー１０１は、一方紙面の単位凹エンボス１２２Ａと他方紙面の単位凹エンボス１２２Ｂとが交互に紙面上下方向に並ぶエンボスラインを有し、このエンボスラインが紙面横方向に複数並んで全体として六角形のエンボスセクション１０２を形成している。そして、このエンボスセクション１０２の間に等幅直線状の抜き柄セクション１０３を有している。抜き柄セクションに交差部分はないが、三筋の抜き柄セクションの集合箇所１１２を有している。
【００６４】
比較例４は、図１２に示すエンボスパターンを有するものである。この比較例４に係るキッチンペーパー１０１は、一方紙面の単位凹エンボス１２２Ａによるエンボスラインと、他方紙面の単位凹エンボス１２２Ｂによるエンボスラインとを有し、各々のエンボスラインが環状となっている。そして、一方紙面のエンボスラインと他方紙面のエンボスラインとが交互に同心円状に配置されているものである。この比較例４に係るキッチンペーパーは、抜き柄セクションは有していない。
【００６５】
比較例５は、図１３に示すエンボスパターンを有するものである。この比較例５に係るキッチンペーパー１０１は、一方紙面の単位凹エンボス１２２Ａと他方紙面の単位凹エンボス１２２Ｂとが交互に紙面横方向に並ぶエンボスラインを有し、このエンボスラインが紙面上下方向に複数並んで全体として四角形のエンボスセクション１０２を形成している。そして、このエンボスセクション１０２の間に等幅直線状で斜め格子状に配された抜き柄セクション１０３を有しているが、交差部分を有していない。
【００６６】
比較例６は、図１４に示すエンボスパターンを有するものである。この比較例６は、比較例１をネステッド形式としたものであり、一方紙面の単位凹エンボス１２２Ａと他方紙面の単位凹エンボス１２２Ｂとが紙面上下方向及び横方向に交互に配置された全体として四角形のエンボスセクション１０２を形成している。エンボスセクションの間には等幅直線状で斜格子状の抜き柄セクション１０３を有しており、交差部分１１２が形成されている。
【００６７】
比較例７は、図１５に示すエンボスパターンを有するものである。この比較例７は、一方紙面の単位凹エンボス１２２Ａによる円弧状のエンボスラインと、他方紙面の単位凹エンボス１２２Ｂによる円弧状のエンボスラインとを有する。各々のエンボスラインは環状にはなっていない。そして、一方紙面のエンボスラインと他方紙面のエンボスラインとが交互に同心円状に配置された、葉模様状のエンボスセクションを形成している。
【００６８】
各比較例のうち、比較例４及び比較例７は、エンボスラインが直線的ではなく、円弧状に配列されており、やや柔らかな印象を与える特徴的な意匠性を有するものとなっている。
【００６９】
各例において行った、吸水量、吸油量、吸水速度、吸油速度及びソフトネスの試験手順や測定方法は、上記「ティップ  トウ  ティップ形式の積層構造との比較試験」と同様である。
【００７０】
上記条件のもと行った試験の結果を、各例のクレープ紙の組成、エンボスパターン、物性とともに下記表２に示す。なお、紙厚の測定については、上記ダイヤルシックネスゲージ（厚み測定器）「ＰＥＡＣＯＣＫ Ｇ型」（尾崎製作所製）により測定した値であり、この測定方法は、エンボスの潰れやすさに依存するためあくまで参考値である。
【００７１】
【表２】
2017063895.tif 000004
【００７２】
吸油量については、本発明の実施例１及び実施例２、比較例７において高い数値となっている。これらは、上記の「ティップ  トウ  ティップ形式の積層構造」の比較例１及び比較例２と同等かそれよりさらに高い。しかし、比較例７は、吸油速度が遅い。これは、そのパターンとして、明確な抜き柄セクションがないがゆえ、油をエンボスセクション内に引き込む作用が小さいと推測される。
【００７３】
また、比較例３〜６については、吸油量の顕著な改善が観られない。また、抜き柄セクションのない比較例４では、吸油速度が非常に遅くなっている。
【００７４】
さらに、ソフトネスの値については、円弧状のエンボスラインを有し、明確な抜き柄セクションはないものの、エンボスセクション間にある程度の空間を有する比較例７についてやや良好になっているものの、その他比較例では、本発明の実施例よりも劣る。
【００７５】
各例を比較してみると、吸油量、吸油速度さらにソフトネスについて顕著に良好な結果が得られたのは本発明の実施例１及び実施例２のみである。
【００７６】
つまり、本発明の構成を採ることにより、吸油量、吸油速度に優れ、さらにソフトネスに優れて食材の包みやすさにも優れるようになるといえる。
【００７７】
以上の「ティップ  トウ  ティップ形式の積層構造との比較試験」と「ネステッド形式の積層構造同士の比較試験」との結果からして、本発明のエンボスパターン及び積層構造とすることにより、紙厚を薄くでき吸油速度が速いというネステッド形式の利点はそのままに、「ティップ  トウ  ティップ形式の積層構造」以上の吸油量を達成でき、しかも柔らかさ、しなやかさにも優れるようになる。
【符号の説明】
【００７８】
１，１０１…キッチンペーパー、１０Ａ，１０Ｂ…クレープ紙、１０ｘ…エンボス凸部形成面、２１Ａ，２１Ｂ…エンボス凸部、２２Ａ，２２Ｂ，２２Ｃ…エンボス凹部（単位凹エンボス）、２３Ｂ…非エンボス凸部、１１…エンボスライン、２…エンボスセクション、Ｌ１…エンボスセクション間の離間距離、３…抜き柄セクション、１２…抜き柄セクションの交差部分、Ｌ２…エンボス凹部の深さ、４…補助エンボスセクション、Ｌ３…単位凹エンボスの中心間間隔、Ｄ１…抜き柄セクションの延在方向、∠Ａ…クレープ紙のＭＤ方向と抜き柄セクションの延在方向との間の角度、４０…接着糊。
【図１】
2017063895.tif 000005
【図２】
2017063895.tif 000006
【図３】
2017063895.tif 000007
【図４】
2017063895.tif 000008
【図５】
2017063895.tif 000009
【図６】
2017063895.tif 000010
【図７】
2017063895.tif 000011
【図８】
2017063895.tif 000012
【図９】
2017063895.tif 000013
【図１０】
2017063895.tif 000014
【図１１】
2017063895.tif 000015
【図１２】
2017063895.tif 000016
【図１３】
2017063895.tif 000017
【図１４】
2017063895.tif 000018
【図１５】
2017063895.tif 000019